(57)【要約】【課題】ＰＣ鋼棒の断裂による飛び出し事故を確実に防止することができるとともに、施工が短時間で安価に行えるＰＣ箱桁橋のせん断補強工法を提供する。【解決手段】箱桁のウェブ部１２にＰＣ鋼棒１４が配置されてプレストレスが付与されたＰＣ箱桁橋１のせん断補強工法において、ＰＣ鋼棒１４が負担するウェブ部１２のせん断応力を負担可能な新たなせん断補強をウェブ部１２の片側又は両側に行うせん断補強工程と、ＰＣ鋼棒１４に付与されたプレストレスを弛緩もしくは解除するプレストレス解除工程と、を実行する。【選択図】図３
2020100976.tif 000002
【特許請求の範囲】
【請求項１】
箱桁のウェブ部にＰＣ鋼棒が配置されてプレストレスが付与されたＰＣ箱桁橋のせん断補強工法であって、
前記ＰＣ鋼棒が負担するウェブ部のせん断応力を負担可能な新たなせん断補強を前記ウェブ部の片側又は両側に行うせん断補強工程と、
前記ＰＣ鋼棒に付与されたプレストレスを弛緩又は解除するプレストレス解除工程と、を有すること
を特徴とするＰＣ箱桁橋のせん断補強工法。
【請求項２】
前記プレストレス解除工程では、前記ＰＣ鋼棒を切断して除去すること
を特徴とする請求項１に記載のＰＣ箱桁橋のせん断補強工法。
【請求項３】
前記せん断補強工程では、補強繊維を用い、その補強繊維の端部の前記ウェブ部への定着を、前記補強繊維に鋼板を接着し、その鋼板をコンクリート躯体に固定することで行うこと
を特徴とする請求項１又は２に記載のＰＣ箱桁橋のせん断補強工法。
【請求項４】
前記せん断補強工程では、前記ウェブ部に補強繊維を所定間隔を置いて縞状に配置すること
を特徴とする請求項３に記載のＰＣ箱桁橋のせん断補強工法。
【請求項５】
前記せん断補強工程では、軸方向力を拘束しないように前記鋼板を離間して設置すること
を特徴とする請求項３又は４に記載のＰＣ箱桁橋のせん断補強工法。
【請求項６】
前記せん断補強工程では、後施工アンカーを用いて前記鋼板をコンクリート躯体に固定し、前記鋼板の自重を後施工アンカーで負担させていること
を特徴とする請求項５に記載のＰＣ箱桁橋のせん断補強工法。
【請求項７】
前記せん断補強工程では、前記鋼板として偏心ヘッド付き鋼板を用い、当該偏心ヘッド付き鋼板の偏心ヘッドを前記コンクリート躯体に埋設して経時硬化材で固着することにより、前記補強繊維の端部の前記ウェブ部への定着を前記偏心ヘッド付き鋼板で上から押さえ付けて止付けていることで行うこと
を特徴とする請求項５に記載のＰＣ箱桁橋のせん断補強工法。
【発明の詳細な説明】
【技術分野】
【０００１】
本発明は、ＰＣ箱桁橋のせん断補強工法に関するものであり、詳しくは、ＰＣ箱桁橋のＰＣ鋼棒のプレストレスを弛緩又は解除して代わりに他のせん断補強を施工するＰＣ箱桁橋のせん断補強工法に関する。
【背景技術】
【０００２】
従来、曲げモーメントによる大きな圧縮力に抵抗できることや補強材などが配置しやすい断面の特性から、主桁の断面形状を箱形としてその側面にＰＣ鋼棒を鉛直方向や斜めに配置してポストテンション方式によりプレストレスが付与されたＰＣ箱桁橋が知られている。
【０００３】
例えば、特許文献１には、せん断力に抵抗するために箱桁のウェブ４１にＰＣ鋼棒である緊張材４３が鉛直方向に配置されてプレストレスが付与されたＰＣ箱桁橋が開示されている（特許文献１の明細書の段落［００３２］、図面の図１０等参照）。
【０００４】
しかし、特許文献１に記載のＰＣ箱桁橋をはじめ、この種のＰＣ鋼棒でプレストレスが付与されたＰＣ箱桁橋は、経年劣化により、プレストレスが減少したり、破断してＰＣ鋼棒の一部が床版から飛び出したりする事故のおそれもあった。
【０００５】
特に、ＰＣ箱桁橋などの橋梁は、広い道路を跨ぐ高架橋として構築され、下方を鉄道や他の道路が走っている状況となっていることが多く、破断して飛び出したＰＣ鋼棒の一部が下方に落下し、道路を通行している人や自動車、列車に当たるという大事故に繋がる危険性があった。
【０００６】
従来では、このような問題には、破断してもＰＣ鋼棒が飛び出さないように、道路面側に繊維材を貼り付けるなど、対処療法でしか無い解決方法しか存在しなかった。例えば、特許文献２には、プレストレストコンクリート橋梁１１の定着具１６と支圧板が密着する程度の低い張力で緊張した外ケーブル１３を配設したプレストレストコンクリート橋梁構造１０であって、前記外ケーブルを緊張する緊張機構１４と、前記外ケーブルの張力変動を検出する検出手段１５とを設け、前記検出手段が前記外ケーブルの張力を定量的にモニタリングするプレストレストコンクリート橋梁構造が開示されている（特許文献２の特許請求の範囲の請求項１、明細書の段落［００１１］〜［００２１］、図面の図１〜図５等参照）。
【０００７】
しかし、特許文献２に記載のプレストレストコンクリート橋梁構造は、確かに、既設橋梁のＰＣ鋼材が破断したことを知ることはできるものの、常に監視する必要がありランニングコストが嵩むうえ、前述のように、対処療法の域を出ず、根本的な解決方法では無かった。
【０００８】
これらに鑑み、本発明の発明者らは、経年劣化により破断して床版から飛び出すおそれのあるＰＣ鋼材のプレストレスを予め弛緩又は解除して代わりに他のせん断補強を施工することを考え出した。ＰＣ箱桁橋の側面部分をせん断補強する方法としては、（１）鋼板接着工法、（２）ＰＣ補強工法、（３）繊維補強工法等が考えれる。
【０００９】
しかし、（１）鋼板接着工法は、鋼板が重く、クレーンなどの揚重機が必要であり施工性が悪いという問題があった。また、補強工事により構造設計時よりＰＣ箱桁橋の自重が増えてしまい、橋脚や支承等悪影響があるという問題があった。
【００１０】
また、（２）ＰＣ補強工法は、外ケーブルの形状等を安定させるために、定着部や偏向部を設ける必要があり、施工性が悪く、工期が長くなるという問題があった。
【００１１】
さらに、（３）繊維補強工法では、繊維補強として一般的な炭素繊維を使用する場合、補強後の補強繊維の経年劣化の状況を目視で確認できないという問題があった。また、補強繊維は、端部の定着方法により全体の強度が決まってしまいせっかくの補強繊維の繊維強度が生かし切れていないという問題もあった。その上、炭素繊維の定着方法として知られているＣＦアンカーは、施工手順に手間がかかり施工期間が増大して工費も増大してしまうという問題があった。
【００１２】
例えば、ＰＣ箱桁橋では無いが、橋梁を補強繊維でせん断補強する方法としては、特許文献３に、ＦＲＰ格子筋をコンクリート棒部材に固定後、セメントやポリマーのモルタルを増厚する増厚工法において、前記ＦＲＰ格子筋を固定する前記コンクリート面は、コンクリート棒部材のウエブ面であり、前記ＦＲＰ格子筋を固定する前に、前記ウエブ面をウォータージェット、ショットブラスト、又はサンドブラストを用いて下地処理し、且つ、前記ＦＲＰ格子筋は、リベットアンカーを使用して、前記ウエブ面に固定するコンクリート補強方法が開示されている（特許文献３の特許請求の範囲の請求項１、明細書の段落［００３１］〜［００４５］、図面の図１〜図５等参照）。
【００１３】
しかし、特許文献３に記載のコンクリート補強方法も、下地処理等に手間や時間がかかり、前述の繊維補強工法の問題点を解決することができるものでは無かった。
【先行技術文献】
【特許文献】
【００１４】
【特許文献１】特開２００６−１１２１８９号公報
【特許文献２】特開２０１２−１２７０５３号公報
【特許文献３】特開２００２−１２９７５３号公報
【発明の概要】
【発明が解決しようとする課題】
【００１５】
そこで、本発明は、前述した問題に鑑みて案出されたものであり、その目的とするところは、ＰＣ鋼棒の断裂による飛び出し事故を確実に防止することができるとともに、施工が安全に短時間で安価に行えるＰＣ箱桁橋のせん断補強工法を提供することにある。
【課題を解決するための手段】
【００１６】
請求項１に係るＰＣ箱桁橋のせん断補強工法は、箱桁のウェブ部にＰＣ鋼棒が配置されてプレストレスが付与されたＰＣ箱桁橋のせん断補強工法であって、前記ＰＣ鋼棒が負担するウェブ部のせん断応力を負担可能な新たなせん断補強を前記ウェブ部の片側又は両側に行うせん断補強工程と、前記ＰＣ鋼棒に付与されたプレストレスを弛緩又は解除するプレストレス解除工程と、を有することを特徴とする。
【００１７】
請求項２に係るＰＣ箱桁橋のせん断補強工法は、請求項１に係るＰＣ箱桁橋のせん断補強工法において、前記プレストレス解除工程では、前記ＰＣ鋼棒を切断して除去することを特徴とする。
【００１８】
請求項３に係るＰＣ箱桁橋のせん断補強工法は、請求項１又は２に係るＰＣ箱桁橋のせん断補強工法において、前記せん断補強工程では、補強繊維を用い、その補強繊維の端部の前記ウェブ部への定着を、前記補強繊維に鋼板を接着し、その鋼板をコンクリート躯体に固定することで行うことを特徴とする。
【００１９】
請求項４に係るＰＣ箱桁橋のせん断補強工法は、請求項３に係るＰＣ箱桁橋のせん断補強工法において、前記せん断補強工程では、前記ウェブ部に補強繊維を所定間隔を置いて縞状に配置することを特徴とする。
【００２０】
請求項５に係るＰＣ箱桁橋のせん断補強工法は、請求項３又は４に係るＰＣ箱桁橋のせん断補強工法において、前記せん断補強工程では、軸方向力を拘束しないように前記鋼板を離間して設置することを特徴とする。
【００２１】
請求項６に係るＰＣ箱桁橋のせん断補強工法は、請求項５に係るＰＣ箱桁橋のせん断補強工法において、前記せん断補強工程では、後施工アンカーを用いて前記鋼板をコンクリート躯体に固定し、前記鋼板の自重を後施工アンカーで負担させていることを特徴とする。
【００２２】
請求項７に係るＰＣ箱桁橋のせん断補強工法は、請求項５に係るＰＣ箱桁橋のせん断補強工法において、前記せん断補強工程では、前記鋼板として偏心ヘッド付き鋼板を用い、当該偏心ヘッド付き鋼板の偏心ヘッドを前記コンクリート躯体に埋設して経時硬化材で固着することにより、前記補強繊維の端部の前記ウェブ部への定着を前記偏心ヘッド付き鋼板で上から押さえ付けて止付けていることで行うことを特徴とする。
【発明の効果】
【００２３】
請求項１〜７に係る発明によれば、プレストレス解除工程を有するので、ＰＣ鋼棒の断裂による飛び出し事故を確実に防止することができる。
【００２４】
特に、請求項２に係る発明によれば、ＰＣ鋼棒を切断して除去するので、ＰＣ鋼棒の断裂による飛び出し事故のおそれを完全に払拭することができる。
【００２５】
特に、請求項３に係る発明によれば、補強繊維に鋼板を接着し、その鋼板をコンクリート躯体に固定することで行うので、折り曲げ等に弱いという補強繊維の弱点を鋼板で補って定着させることができる。このため、補強繊維の強度を最大限に発揮して、端部の定着方法により全体の補強強度が決まってしまいせっかくの補強繊維の繊維強度が生かし切れていないという問題を解消することができる。それに加え、請求項３に係る発明によれば、せん断補強工事の施工が安全かつ短時間に行うことができる。このため、施工費を低減することができる。
【００２６】
特に、請求項４に係る発明によれば、ウェブ部に補強繊維を所定間隔を置いて縞状に配置するので、補強繊維が不透明な炭素繊維であったとしても、ウェブ部のおけるひび割れ等の発生の有無等を目視で確認することができる。
【００２７】
特に、請求項５に係る発明によれば、鋼板を離間して設置するので、軸方向力を拘束せず、鋼板や補強繊維に不要な応力が作用せず、ウェブ部に作用する水平方向のせん断力のみを負担することができる。このため、効果的にせん断補強を行うことができる。
【００２８】
特に、請求項６及び７に係る発明によれば、せん断補強工事の施工がさらに安全かつ短時間に行うことができるとともに、補強繊維の端部のウェブ部への定着を確実に行うことができる。
【図面の簡単な説明】
【００２９】
【図１】本発明の実施形態に係るＰＣ箱桁橋のせん断補強工法を適用するＰＣ箱桁橋の構成を示す鉛直断面図である。
【図２】同上のＰＣ箱桁橋に本発明の実施形態に係るＰＣ箱桁橋のせん断補強工法を適用してせん断補強を行った箱桁橋を示す鉛直断面図である。
【図３】同上の箱桁橋のウェブ部のせん断補強を水平方向に見た部分拡大側面図である。
【図４】同上の箱桁橋のウェブ部のせん断補強の上端付近を示す部分拡大鉛直断面図である。
【図５】（ａ）は、同上の箱桁橋のウェブ部のせん断補強の変形例を示す部分拡大鉛直断面図であり、（ｂ）は、偏心ヘッド付き鋼板のみを水平方向に見た立面図である。
【図６】本発明の別の実施形態に係るＰＣ箱桁橋のせん断補強工法として桁のウェブの内側にせん断補強を行った箱桁橋を示す鉛直断面図である。
【発明を実施するための形態】
【００３０】
以下、本発明に係る床版防水層施工システム及び床版防水層施工方法の一実施形態について、図面を参照しながら詳細に説明する。
【００３１】
図１〜図５を用いて、本発明の実施形態に係るＰＣ箱桁橋のせん断補強工法について説明する。先ず、本実施形態に係るＰＣ箱桁橋のせん断補強工法を適用するＰＣ箱桁橋について簡単に説明する。図１は、本発明の実施形態に係るＰＣ箱桁橋のせん断補強工法を適用するＰＣ箱桁橋の構成を示す鉛直断面図である。
【００３２】
本発明を適用する前提条件は、箱桁のウェブ部にＰＣ鋼棒が配置されてプレストレスが付与された図１に示すＰＣ箱桁橋１において、発錆などの経年劣化等によりにＰＣ鋼棒に負荷されたプレストレスが少なくとも設計時に想定した値より低下していることである。このため、本実施形態では、箱桁のウェブ部にＰＣ鋼棒が鉛直方向に沿って配置されたＰＣ箱桁橋１のプレストレスが設置時より低下していることを想定して説明する。
【００３３】
図１に示すように、ＰＣ箱桁橋１は、上床版部１０と下床版部１１とこれらを繋ぐ左右一対のウェブ部１２など、から構成されている。このＰＣ箱桁橋１は、これらの上床版部１０と下床版部１１とウェブ部１２とで囲まれた空間が中空部１３となっている。
【００３４】
そして、一対のウェブ部１２には、水平力に対抗するせん断補強としてＰＣ鋼棒１４（ＰＣ鋼材）が挿通されて、このＰＣ鋼棒１４にプレストレスが負荷されている。しかし、このプレストレスが経年劣化等により設計時に想定した値より低下している状態となっている。
【００３５】
（せん断補強工程）
本発明の実施形態に係るＰＣ箱桁橋のせん断補強工法では、ＰＣ鋼棒１４が負担するウェブ部１２のせん断応力を負担可能な新たなせん断補強を行うせん断補強工程を行う。ここで、ＰＣ鋼棒１４が負担するウェブ部１２のせん断応力を負担可能とは、構造設計時に、ＰＣ鋼棒１４がウェブ部１２に挿通されておらず、プレストレスが無かったとした場合でも、ＰＣ箱桁橋１に作用するせん断応力（水平力）に対抗できるせん断補強を行うことを指している。
【００３６】
図２は、図１のＰＣ箱桁橋１に本発明の実施形態に係るＰＣ箱桁橋のせん断補強工法を適用してせん断補強を行った状態を示す鉛直断面図である。また、図３は、せん断補強を行った箱桁橋１のウェブ部１２を水平方向に見た部分拡大側面図であり、図４は、箱桁橋１のウェブ部１２のせん断補強の上端付近を示す部分拡大鉛直断面図である。
【００３７】
図２〜図４に示すように、具体的には、本実施形態に係るＰＣ箱桁橋のせん断補強工法では、先ず、接着材を用いて補強繊維をウェブ部１２の両側の外面に接着する。勿論、ＰＣ鋼棒１４の劣化の状況に応じて、ウェブ部１２の片側の外面のみせん断補強を施してもよい。
【００３８】
なお、本実施形態では、補強繊維として炭素繊維２（カーボンファイバー）を用いる。但し、本発明に係る補強繊維は、炭素繊維に限られず、ガラス繊維、ビニロン繊維、ポリオレフィン繊維、ポリエステル繊維、ポリアミド繊維、アラミド繊維、バサルト繊維等とすることもできる。
【００３９】
また、本工程では、炭素繊維２をコンクリートに接着する接着材は、アルカリ性に強いエポキシ樹脂を採用している。勿論、本発明に係る接着材は、エポキシ樹脂に限られず、アクリル樹脂やセメント系樹脂など、用いる補強繊維に応じて適宜選択すればよいことは云うまでもない。
【００４０】
本工程では、図３に示すように、ウェブ部１２に炭素繊維２を所定間隔を置いて縞状に設置する。縞状に設置する理由は、目視によりＰＣ鋼棒１４が埋設されている部分やその他のウェブ部１２の外面にひび割れ等の発生の有無を確認できるようにするためである。よって、ＰＣ鋼棒１４が傾斜して斜めに設置されている場合は、炭素繊維２の縞も斜めとする。
【００４１】
また、炭素繊維２のコンクリート躯体への定着は、従来、ＣＦアンカー等でなされていた。従来のＣＦアンカーは、高価である上、前述のように、本数を数えて広げるなど、施工に非常に手間がかかり、施工期間が増大して工費も増大してしまうという問題があった。その上、前述のように、ＣＦアンカーの接着強度により全体のせん断補強の強度が決まってしまいせっかくの炭素繊維２の繊維強度が生かし切れていないという問題もあった。
【００４２】
そこで、本実施形態に係るＰＣ箱桁橋のせん断補強工法では、図２〜図４に示すように、コンクリート躯体であるウェブ部１２の外面への炭素繊維２の定着を、複数の鋼板３を介して行っている。具体的には、炭素繊維２の端部付近に鋼板３を接着材で接着し、その鋼板３をウェブ部１２又は上床版部１０や下床版部１１などのコンクリート躯体に固定することにより行っている。これにより、炭素繊維２の個々の繊維に応力が集中して断裂することを防いでいる。このため、炭素繊維２の繊維強度を最大限に発揮させることができる。なお、炭素繊維２と鋼板３との接着は、エポキシ樹脂やアクリル樹脂などの接着材が好ましい。
【００４３】
また、これらの鋼板３は、図３に示すように、ウェブ部１２に作用する鉛直方向の軸方向力を拘束しないように目地を設けて所定間隔離間して設置する。このため、鋼板３や炭素繊維２に不要な応力が作用せず、炭素繊維２がウェブ部１２に作用する水平方向のせん断力のみを負担することができる。勿論、目地の間隔は、作用する応力により鋼板３同士が別々に挙動しても互いに当接しない間隔であればよい。
【００４４】
鋼板３のコンクリート躯体への固定は、図４に示すように、山形鋼３１を介して後施工アンカー３０で上床版部１０などのコンクリート躯体に固定する。山形鋼３１の鋼板３への固定は、溶接やボルト止め等で取り付けられている。また、鋼板３のコンクリート躯体への固定は、ウェブ部１２や下床版部１１へ固定しても構わない。
【００４５】
ここで、この鋼板３のコンクリート躯体への固定は、重い鋼板３の自重を支える目的で行うものであり、後施工アンカー３０もホールインアンカー等で足りる。なお、図示しないが、炭素繊維２の下端部分も同様に山形鋼３１を介して後施工アンカー３０で下床版部１１などのコンクリート躯体に固定する。
【００４６】
図５（ａ）は、本実施形態に係るＰＣ箱桁橋のせん断補強工法を適用した箱桁橋１のウェブ部１２のせん断補強の変形例を示す部分拡大鉛直断面図であり、図５（ｂ）は、偏心ヘッド付き鋼板のみを水平方向に見た立面図である。
【００４７】
図５に示すように、鋼板３のコンクリート躯体への固定の変形例としては、前述の鋼板３の端部の外側に偏心ヘッド３ａを設けた偏心ヘッド付き鋼板３’で、炭素繊維２の端部を上から押さえ付けて止付けることが考えられる。
【００４８】
この偏心ヘッド付き鋼板３’は、図５（ｂ）に示すように、鉄筋などの棒鋼３ｂの先端に棒鋼３ｂの軸心から外側に偏心した圧着グリップが嵌着されて偏心ヘッド３ａとなっている。この偏心ヘッド付き鋼板３’のコンクリート躯体への固定は、偏心ヘッド３ａを上床版部１０などのコンクリート躯体に形成した凹部１０ａに挿入し、グラウトや樹脂等の経時硬化材（図示せず）で固めて固定する。
【００４９】
なお、図示形態のように、下方へ開口した凹部１０ａに固定する場合は、経時硬化材が固まるまでに落下しないように、充填する経時硬化材は、固練りモルタルや粘度の高い樹脂等を用いる。このように、偏心ヘッド３ａを用いて固定することにより、剥がれ易い炭素繊維２の端部付近を強固にコンクリート躯体に固定することができ、せん断補強の効果を最大限に発揮させることができる。
【００５０】
以上説明した鋼板３のコンクリート躯体への固定により、せん断補強工程が終了する。
【００５１】
（プレストレス解除工程）
次に、本実施形態に係るＰＣ箱桁橋のせん断補強工法では、ＰＣ鋼棒１４に付与されたプレストレスを弛緩又は解除するプレストレス解除工程を行う。
【００５２】
具体的には、本工程では、ＰＣ鋼棒１４又はその定着具部分を切断してプレストレスを解除する。このとき、ＰＣ鋼棒１４を切断する際に、切断したＰＣ鋼棒１４の一部がプレストレスの張力が急に無くなって飛び出さないように防護ネットなどの防護措置を施すことが好ましい。勿論、ＰＣ鋼棒１４の定着具部分を斫り出して、ジャッキ等で定着具部分を緩めてプレストレスを弛緩しても構わない。
【００５３】
要するに、本工程では、前述のようにＰＣ鋼棒１４を切断してプレストレスを解除するか、破断片が飛び出す事故が起こるおそれが無い程度にＰＣ鋼棒１４に付与されたプレストレスを弛緩する。
【００５４】
本工程の終了により、本実施形態に係るＰＣ箱桁橋のせん断補強工法が終了する。
【００５５】
以上説明した本発明の実施形態に係るＰＣ箱桁橋のせん断補強工法によれば、経年劣化等しているＰＣ鋼棒１４を切断して除去するので、ＰＣ鋼棒１４の断裂による飛び出し事故のおそれを完全に払拭することができる。また、ＰＣ鋼棒１４にかかるプレストレスを緩める場合も同様である。
【００５６】
また、本実施形態に係るＰＣ箱桁橋のせん断補強工法によれば、補強繊維である炭素繊維２に鋼板３を接着し、その鋼板３を上床版部１０などのコンクリート躯体に固定することでせん断補強を行う。このため、折り曲げ等の応力集中に弱いという炭素繊維２（補強繊維）の弱点を鋼板３で補って定着させることができる。よって、炭素繊維２の強度を最大限に発揮して、繊維強度が生かし切れていないという問題を解消することができる。それに加え、せん断補強工事の施工が安全かつ短時間に行うことができる。このため、施工費を低減することができる。
【００５７】
その上、本実施形態に係るＰＣ箱桁橋のせん断補強工法によれば、所定間隔を置いてウェブ部１２に不透明な炭素繊維２を縞状に配置するので、ウェブ部１２におけるひび割れ等の発生の有無等を目視で確認することができる。
【００５８】
それに加え、本実施形態に係るＰＣ箱桁橋のせん断補強工法によれば、鋼板３に目地を設けて離間して設置するので、軸方向力を拘束せず、鋼板３や炭素繊維２に不要な応力が作用しない。このため、炭素繊維２がウェブ部１２に作用する水平方向のせん断力のみを負担することができ、効果的にせん断補強を行うことができる。
【００５９】
以上、本発明の実施形態に係るＰＣ箱桁橋のせん断補強工法について詳細に説明したが、前述した又は図示した実施形態は、いずれも本発明を実施するにあたって具体化した一実施形態を示したものに過ぎない。よって、これらによって本発明の技術的範囲が限定的に解釈されてはならないものである。
【００６０】
特に、接着材を用いて補強繊維をウェブ部１２の外面に接着する場合を例示して説明したが、図６に示すように、補強繊維（炭素繊維２）をウェブ部１２の内面に接着しても構わない。また、補強繊維（炭素繊維２）をウェブ部１２の内面と外面の両面に接着してもよい。ウェブ部１２の両面に補強繊維（炭素繊維２）を設ける場合は、接着だけでは、所望のせん断抵抗力を確保できない場合に特に有効である。
【符号の説明】
【００６１】
１：ＰＣ箱桁橋（箱桁橋）
１０：上床版部
１０ａ：凹部
１１：下床版部
１２：ウェブ部
１３：中空部
１４：ＰＣ鋼棒（ＰＣ鋼材）
２：炭素繊維（補強繊維）
３：鋼板
３０：後施工アンカー
３１：山形鋼
３’：偏心ヘッド付き鋼板（鋼板）
３ａ：偏心ヘッド
３ｂ：鋼棒
【図１】
2020100976.tif 000003
【図２】
2020100976.tif 000004
【図３】
2020100976.tif 000005
【図４】
2020100976.tif 000006
【図５】
2020100976.tif 000007
【図６】
2020100976.tif 000008